(57)【特許請求の範囲】
【請求項１】
電力変換装置（１００）に備えられる長尺形状のバスバモジュール（１）であって、
外部装置の外部端子（１０２）が接続される接続端子（１１１、１２１）を備える複数のバスバ（１０、１１、１２）と、
インターロックピン（２１）が接続されるインターロックコネクタ（２０）と、
上記電力変換装置への電力供給を制御する制御回路と上記インターロックコネクタとを接続する制御回路接続部（３０）と、
上記複数のバスバ、上記インターロックコネクタ及び上記制御回路接続部を樹脂モールドするとともに、上記電力変換装置に固定される一対の固定部（４１ａ、４１ｂ）を備えるモールド部（４０）とを有し、
上記インターロックピンと上記インターロックコネクタとの接続が解除されると、上記制御回路を介して上記電力変換装置への電力の供給が遮断されるように構成されており、
上記複数のバスバの接続端子は、上記外部端子の接続方向（Ｙ１）が互いに平行となるように、上記バスバモジュールの長手方向（Ｘ）に沿って並んでおり、
上記外部端子の接続方向（Ｙ１）から見て、上記長手方向に直交する方向を上下方向（Ｚ）としたとき、上記インターロックコネクタは、上記複数の接続端子の上方（Ｚ１）又は下方（Ｚ２）に位置しているとともに、上記一対の固定部は、上記長手方向において上記接続端子を挟む位置に設けられており、
上記複数のバスバは、それぞれの上記接続端子が、上記長手方向に並んだ複数の第１のバスバ（１１）と、上記複数の第１のバスバ（１１）とは上下方向に異なる位置において上記長手方向に並んだ複数の第２のバスバ（１２）とを含んでおり、上記モールド部は上記接続端子を支持する端子台（４３、４４）をそれぞれ備え、上記インターロックコネクタの少なくとも一部は、上記接続方向から見て最も上方に位置する端子台（４３）の上端（４３１）と最も下方に位置する端子台（４４）の下端（４４１）との間（Ｑ）に位置しており、
上記制御回路接続部（３０）は、上記インターロックピンの接続方向に平行に延びるとともに、上記インターロックピンの接続方向に直交する上下方向に平行となるように屈曲した状態で、上記インターロックピンの接続方向に平行に設けられた制御回路基板（１０４）に形成された上記制御回路に接続されるように構成されている、バスバモジュール。
【請求項２】
上記インターロックコネクタは、上記上下方向から見て、上記長手方向に並んだ上記接続端子のうち、上記長手方向の両端に位置する上記接続端子の内側の範囲（Ｐ）内に収まっている、請求項１に記載のバスバモジュール。
【請求項３】
上記外部端子の接続方向と上記インターロックピンの接続方向とが同じ方向となっている、請求項１又は２に記載のバスバモジュール。
【発明の詳細な説明】
【技術分野】
【０００１】
本発明は、バスバモジュールに関する。
【背景技術】
【０００２】
電気自動車やハイブリッド車等には、インバータやコンバータなどの電力変換装置が備えられている。特許文献１には、電力変換装置に備えられるコネクタを含むバスバモジュールが開示されている。かかるバスバモジュールは、接続端子を備える複数のバスバがモールドされてなるとともに、電力変換装置に備えられた保護カバーの取り外しを検知して、電力変換装置における回路を遮断するインターロック機構を備えている。当該インターロック機構は、保護カバーに当接するインターロックピンと、該インターロックピンが挿入されるインターロックコネクタ端子とを有しており、保護カバーの取り外しに伴うインターロックピンの移動をインターロックコネクタ端子を介して検知するように構成されている。
【先行技術文献】
【特許文献】
【０００３】
【特許文献１】特開２０１１−１６６９９３号公報
【発明の概要】
【発明が解決しようとする課題】
【０００４】
特許文献１に開示のバスバモジュールは長尺形状を成しており、複数の接続端子がバスバモジュールの長手方向に並んでいるとともに、インターロックコネクタ端子が隣り合う接続端子の間に配置されている。そのため、バスバモジュールの体格が長手方向、すなわち接続端子の並び方向に大きくなりやすい。そして、当該バスバモジュールを接続する複数の固定部が接続端子の並び方向の両端に設けられるため、固定部間の距離も並び方向に大きくなりやすいことから、バスバモジュールの耐振性が低下するおそれがある。
【０００５】
本発明は、かかる背景に鑑みてなされたもので、体格を小さくでき、耐振性が向上されるバスバモジュールを提供しようとするものである。
【課題を解決するための手段】
【０００６】
本発明の一態様は、電力変換装置（１００）に備えられる長尺形状のバスバモジュール（１）であって、
外部装置の外部端子（１０２）が接続される接続端子（１１１、１２１）を備える複数のバスバ（１０、１１、１２）と、
インターロックピン（２１）が接続されるインターロックコネクタ（２０）と、
上記電力変換装置への電力供給を制御する制御回路と上記インターロックコネクタとを接続する制御回路接続部（３０）と、
上記複数のバスバ、上記インターロックコネクタ及び上記制御回路接続部を樹脂モールドするとともに、上記電力変換装置に固定される一対の固定部（４１ａ、４１ｂ）を備えるモールド部（４０）とを有し、
上記インターロックピンと上記インターロックコネクタとの接続が解除されると、上記制御回路を介して上記電力変換装置への電力の供給が遮断されるように構成されており、
上記複数のバスバの接続端子は、上記外部端子の接続方向（Ｙ１）が平行となるように、上記バスバモジュールの長手方向（Ｘ）に沿って並んでおり、
上記外部端子の接続方向（Ｙ１）から見て、上記長手方向に直交する方向を上下方向（Ｚ）としたとき、上記インターロックコネクタは、上記複数の接続端子の上方（Ｚ１）又は下方（Ｚ２）に位置しているとともに、上記一対の固定部は、上記長手方向において上記接続端子を挟む位置に設けられており、
上記複数のバスバは、それぞれの上記接続端子が、上記長手方向に並んだ複数の第１のバスバ（１１）と、上記複数の第１のバスバ（１１）とは上下方向に異なる位置において上記長手方向に並んだ複数の第２のバスバ（１２）とを含んでおり、上記モールド部は上記接続端子を支持する端子台（４３、４４）をそれぞれ備え、上記インターロックコネクタの少なくとも一部は、上記接続方向から見て最も上方に位置する端子台（４３）の上端（４３１）と最も下方に位置する端子台（４４）の下端（４４１）との間（Ｑ）に位置しており、
上記制御回路接続部（３０）は、上記インターロックピンの接続方向に平行に延びるとともに、上記インターロックピンの接続方向に直交する上下方向に平行となるように屈曲した状態で、上記インターロックピンの接続方向に平行に設けられた制御回路基板（１０４）に形成された上記制御回路に接続されるように構成されている、バスバモジュールにある。
【発明の効果】
【０００７】
上記バスバモジュールは長尺形状をなしており、接続端子はその長手方向に沿って並んでいる。すなわち、バスバモジュールの長手方向と、接続端子の並び方向とが一致している。そして、外部端子の接続方向から見て、インターロックコネクタが接続端子の上方又は下方に位置している。そのため、インターロックコネクタを接続端子とともに長手方向に並べて配置した場合に比べて、バスバモジュールの体格を長手方向、すなわち接続端子の並び方向において小さくできる。そして、当該体格が接続端子の並び方向に小さくなることにより、当該バスバモジュールを電力変換装置に固定するための一対の固定部間の距離を小さくできるため、バスバモジュールの耐振性を向上させることができる。
【０００８】
以上のごとく、本発明によれば、体格を小さくでき、耐振性が向上されるバスバモジュールを提供することができる。
【０００９】
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１０】
【図１】実施形態１における、バスバモジュールの斜視図。
【図２】実施形態１における、バスバモジュールの正面図。
【図３】実施形態１における、バスバモジュールを電力変換装置に取り付けた状態の正面図。
【図４】実施形態１における、外部端子及びインターロックピンの取り付け態様を説明するための、図３のIV-IV線位置での断面模式図。
【図５】実施形態１における、バスバモジュールの上面図。
【発明を実施するための形態】
【００１１】
（実施形態１）
バスバモジュールの実施形態について、図１〜図５を用いて説明する。
本実施形態のバスバモジュール１は長尺形状をなしており、電力変換装置１００に備えられる。そして、バスバモジュール１は、複数のバスバ１０、インターロックコネクタ２０、制御回路接続部３０、モールド部４０を備える。
複数のバスバ１０は、図示しない外部装置の外部端子１０２が接続される接続端子１１１を備える。
インターロックコネクタ２０は、インターロックピン２１が接続される。
制御回路接続部３０は、電力変換装置１００への電力供給を制御する制御回路とインターロックコネクタ２０とを接続する。
モールド部４０は、複数のバスバ１０、インターロックコネクタ２０及び制御回路接続部３０を樹脂モールドするとともに、電力変換装置１００に固定される一対の固定部４１ａ、４１ｂを備える。
【００１２】
そして、バスバモジュール１は、インターロックピン２１とインターロックコネクタ２０との接続が解除されると、制御回路を介して電力変換装置１００への電力の供給が遮断されるように構成されている。
複数のバスバ１０の接続端子１１１は、外部端子の接続方向Ｙ１が平行となるように、バスバモジュール１の長手方向Ｘに沿って並んでいる。
図２に示すように、外部端子１０２の接続方向Ｙ１から見て、長手方向Ｘに直交する方向Ｚを上下方向としたとき、インターロックコネクタ２０は、複数の接続端子１１１の上方Ｚ１又は下方Ｚ２に位置している。そして、一対の固定部４１ａ、４１ｂは、長手方向Ｘにおいて接続端子１１１を挟む位置に設けられている。
【００１３】
以下、本実施形態のバスバモジュール１について、詳述する。
バスバモジュール１は、図３に示すように、インバータ及びコンバータとしての機能を有する電力変換装置１００に備えられる。バスバモジュール１は、電力変換装置１００のハウジング１０１内に固定される。そして、ハウジング１０１には開口部１０１ａが形成されている。当該開口部１０１ａを介して、図１に示す外部端子１０２及びインターロックピン２１がバスバモジュール１の接続端子１１１、１２１及びインターロックコネクタ２０に接続可能となっている。
【００１４】
図１、図２に示すように、バスバモジュール１は、樹脂製のモールド部４０を有する。モールド部４０には、ハウジング１０１に固定される一対の固定部４１ａ、４１ｂが形成されている。また、モールド部４０には、５個のナット１４が長手方向Ｘに沿ってインサートされている。そして、当該ナット１４の周囲に、接続端子１１１、１２１を支持する端子台４３、４４が形成されている。
【００１５】
本実施形態では、図１に示すように、バスバ１０は５個備えられている。そのうちの３個の第１バスバ１１はモールド部４０にインサートされており、残りの２個の第２バスバ１２は、モールド部４０にインサートされていない。第１バスバ１１は、固定孔１１０が形成された接続端子１１１を有する。固定孔１１０には図示しない外部装置の外部端子１０２との接続のためにボルト１５が挿通される。第２バスバ１２にも、図示しない外部端子との接続のためにボルト１５が挿通される固定孔１２１がそれぞれ形成されている。
【００１６】
図１、図２に示すように、長尺形状をなすバスバモジュール１において、その外形が最も長くなる方向を長手方向Ｘとする。そして、２個の第１バスバ１１の接続端子１１１は長手方向Ｘに沿って並んでいる。すなわち、当該２個の接続端子１１１の並び方向は、バスバモジュール１の長手方向Ｘと一致する。本実施形態では、２個の接続端子１１１それぞれ長手方向Ｘに平行な仮想直線Ｌ上に位置している。また、外部端子１０２が接続端子１１１に接続される方向を接続方向Ｙ１とし、両者が接続された状態において外部端子１０２が接続端子１１１から取りはずされて当該接続が解除される方向を解除方向Ｙ２とする。そして、接続方向Ｙ１及び解除方向Ｙ２を合わせて、厚さ方向Ｙとする。さらに、長手方向Ｘと厚さ方向Ｙとの両方に直交する方向を上下方向Ｚとし、Ｚ方向において接続端子１１１から下側に向かう方向を下方Ｚ１とし、上側に向かう方向Ｚ２とする。なお、本実施形態では、図１に示すように、３個の第３バスバ１２は、それぞれの接続端子１２１も長手方向Ｘに沿って並んでおり、仮想直線Ｍ上に位置している。仮想直線Ｍは仮想直線Ｌに平行であって、仮想直線Ｌと仮想直線Ｍとは上下方向Ｚの位置が異なっている。
【００１７】
インターロックコネクタ２０は、図１、図２に示すように、接続方向Ｙ１から見て、第１バスバ１１の下方Ｚ２に形成されている。インターロックコネクタ２０は、厚さ方向Ｙに延びる筒状を成しており、内部にインターロックピン２１が挿入できるように構成されている。
【００１８】
本実施形態では、図２に示すように、インターロックコネクタ２０は、接続方向Ｙ１から見て最も上方Ｚ１に位置する端子台４３の上端４３１と、最も下方Ｚ１に位置する端子台４４の下端４４１との間Ｑに位置している。
【００１９】
また、本実施形態では、図５に示すようにインターロックコネクタ２０は、上下方向Ｚから見て長手方向Ｘにおける両端に位置する接続端子１１１の内側の範囲Ｐ内に収まっている。なお当該範囲Ｐは、図２、図５に示すように、長手方向Ｘに並ぶ複数の接続端子１１１のうち、長手方向Ｘの両端に位置する接続端子１１１において、隣り合う接続端子１１１に対向する側の端部１１１ｂと反対側の端部１１１ａ同士の間を指すものとする。
【００２０】
図４に示すように、インターロックコネクタ２０は、制御回路接続部３０の一端に接続されている。制御回路接続部３０の他端は、モールド部４０から下方Ｚ２に突出しており、制御回路基板１０４に形成された図示しない制御回路に接続されている。
【００２１】
図４に示すように、インターロックコネクタ２０には、インターロックピン２１が挿入されるように構成されている。本実施形態ではインターロックピン２１は、上記外部端子１０２の接続方向Ｙ１と同じ方向にインターロックコネクタ２０に挿入されて接続されるように構成されている。
【００２２】
図５に示すように、本実施形態では、一対の固定部４１ａ、４１ｂは、上下方向Ｚから見て、長手方向Ｘに沿って並ぶ接続端子１１１を長手方向Ｘにおいて挟む位置に設けられている。なお、一対の固定部４１ａ、４１ｂのうち一方の固定部４１ａは、バスバモジュール１における長手方向Ｘの一端に形成されている。そして、バスバモジュール１における長手方向Ｘの他端には一対の固定部４１ａ、４１ｂとは異なる他の固定部４２が形成されている。
【００２３】
次に、本実施形態のバスバモジュール１における作用効果について、詳述する。
本実施形態のバスバモジュール１においては、外部端子１０２の接続方向Ｙ１から見て、インターロックコネクタ２０が第１バスバ１１の接続端子１１１の下方Ｚ２に位置している。そのため、インターロックコネクタ２０を接続端子１１１とともに長手方向Ｘに並べて配置した場合に比べて、バスバモジュール１の体格を長手方向Ｘ、すなわち接続端子１１１の並び方向において小さくできる。そして、当該体格が接続端子１１１の並び方向に小さくなることにより、当該バスバモジュール１を電力変換装置１００に固定するための一対の固定部４１ａ、４１ｂ間の距離を小さくできるため、バスバモジュール１の耐振性を向上させることができる。
【００２４】
なお、インターロックコネクタ２０は、外部端子１０２の接続方向Ｙ１から見て、バスバ１１の接続端子１１１の上方Ｚ１に位置するようにしてもよい。この場合も、上述の作用効果を奏する。
【００２５】
さらに、本実施形態では、インターロックコネクタ２０は、長手方向Ｘに並んだ接続端子１１１のうち、上下方向Ｚから見て長手方向Ｘにおける両端に位置する接続端子１１１の内側の範囲Ｐ内に収まっている。これにより、長手方向Ｘにおいて、インターロックコネクタ２０の全体が接続端子１１１と重なることとなるため、バスバモジュール１の体格を長手方向Ｘにおいて一層小さくすることができる。
【００２６】
また、本実施形態では、複数のバスバ１０は、それぞれの接続端子１１１が長手方向Ｘに並んだ複数の第１のバスバ１１と、複数の第１のバスバ１１とは上下方向Ｚに異なる位置においてそれぞれの接続端子１２１が長手方向Ｘに並んだ複数の第２のバスバ１２とを含んでおり、インターロックコネクタ２０は、接続方向Ｙ１から見て最も上方Ｚ１に位置する端子台４３の上端４３１と、最も下方Ｚ１に位置する端子台４４の下端４４１との間Ｑに位置している。これにより、インターロックコネクタ２０によって、バスバモジュール１の上下方向Ｚにおける体格が大きくなることが抑制され、バスバモジュール１全体の体格の小型化に寄与できる。
【００２７】
また、本実施形態では、外部端子１０２の接続方向Ｙ１とインターロックピン２１の接続方向Ｙ１とが同じ方向となっている。これにより、外部端子１０２とインターロックピン２１とを一体的に備える外部接続モジュールを介して、これらの接続とその解除とを容易に行うことが可能となる。
【００２８】
本実施形態では、インターロックコネクタ２０は、バスバモジュール１において複数の第１バスバ１１の上方Ｚ１又は下方Ｚ２に設けることとしたが、バスバモジュール１において複数の第２バスバ１２の上方Ｚ１又は下方Ｚ２に設けることとしてもよい。
【００２９】
以上のごとく、本実施形態によれば、体格を小さくでき、耐振性が向上されるバスバモジュール１を提供することができる。
【００３０】
本発明は上記実施形態に限定されるものではなく、その要旨を逸脱しない範囲において種々の実施形態に適用することが可能である。
【符号の説明】
【００３１】
１  バスバモジュール
１０  バスバ
１１  第１バスバ
１１１  接続端子
１０２  外部端子
２０  インターロックコネクタ
２１  インターロックピン
３０  制御回路接続部
４０  モールド部
４１ａ、４１ｂ  固定部
【図１】
0006657752.tif 000002
【図２】
0006657752.tif 000003
【図３】
0006657752.tif 000004
【図４】
0006657752.tif 000005
【図５】
0006657752.tif 000006